(57)【要約】【課題】給水配管の途中に弁を不要とすると共に、ディスポーザ専用の給水配管及び水栓金具も不要とし、給水配管の簡素化を図ることにより、浄水器等との併用も容易にし、かつ操作レバーを常時手動での操作も可能なディスポーザの自動給水方法及びその装置とする。【解決手段】ディスポーザ本体１への給水配管６にシングルレバー式水栓本体５を設ける。シングルレバー式水栓本体５に、ディスポーザ本体１の運転スイッチ４の作動によるディスポーザ本体１の運転開始及び運転停止に連動して、シングルレバー式水栓本体５の操作レバー７を給水開始方向及び給水停止方向へ作動する操作レバー駆動手段８を設ける。【選択図】図１
2004008991.tif 000002
【特許請求の範囲】
【請求項１】
ディスポーザの運転スイッチの作動によるディスポーザの運転開始及び運転停止に連動して、ディスポーザへの給水の開始及び給水の停止が行われ、この給水の開始及び給水の停止はシングルレバー式水栓の操作レバーを給水開始方向及び給水停止方向へ操作レバー駆動手段を作動させることにより行われることを特徴とするディスポーザの自動給水方法。
【請求項２】
操作レバー駆動手段への信号の伝達は、無線又は有線で行われることを特徴とする請求項１記載のディスポーザの自動給水方法。
【請求項３】
操作レバーは手動で可動可能であることを特徴とする請求項１又は２記載のディスポーザの自動給水方法。
【請求項４】
ディスポーザへの給水路にシングルレバー式水栓が設けられ、このシングルレバー式水栓にディスポーザの運転スイッチの作動によるディスポーザの運転開始及び運転停止に連動して、シングルレバー式水栓の操作レバーを給水開始方向及び給水停止方向へ作動する操作レバー駆動手段が設けられていることを特徴とするディスポーザの自動給水装置。
【請求項５】
操作レバー駆動手段は、シングルレバー式水栓に取り付けられるカバーケースと、このカバーケースに設けたモーターと、このモーターにより回動すると共に、シングルレバー式水栓の操作レバーに係合し、操作レバーを給水の開始方向及び給水の停止方向へ作動する腕杆から構成されていることを特徴とする請求項４記載のディスポーザの自動給水装置。
【請求項６】
操作レバー駆動手段のモーターへの信号の伝達は、無線又は有線で行われることを特徴とする請求項５記載のディスポーザの自動給水装置。
【請求項７】
操作レバーは手動で可動可能であることを特徴とする請求項４、５又は６記載のディスポーザの自動給水装置。
【発明の詳細な説明】
【０００１】
【発明の属する技術分野】
本発明は、各種食品材料の調理ゴミ等の厨芥を給水しながら粉砕するディスポーザの自動給水方法及びその装置に関するものである。
【０００２】
【従来の技術】
従来、ディスポーザにおける自動給水は、ディスポーザの運転スイッチの作動によるディスポーザの運転開始及び運転停止に連動して、給水配管の途中に設置された弁が開閉し、給水の開始及び停止を行っていた。
【０００３】
【発明が解決しようとする課題】
ディスポーザの運転中は、破砕厨芥の送出及び排出のために必ず給水をする必要がある。
そこで、ディスポーザの運転スイッチを操作した時に、上記従来のようにディスポーザの運転に連動して給水の開始及び停止を行い、ディスポーザの運転中にのみ自動的に給水できるようになっている。
【０００４】
しかし、従来の自動給水は給水配管の途中に弁を設けていたため、給水配管に弁を設置するスペースが必要であったり、浄水器等の併設により給水配管が複雑になったりすることが避けられなかった。
又、弁の故障時には給水が不可能になることもあり、これを防止するためにディスポーザ専用の配管と水栓金具を必要としていたのである。
【０００５】
上記点より本発明は、給水配管の途中に弁を不要とすると共に、ディスポーザ専用の給水配管及び水栓金具も不要とし、給水配管の簡素化を図ることにより、浄水器等との併用も容易にし、かつ操作レバーを常時手動での操作も可能なディスポーザの自動給水方法及びその装置を提供しようとするものである。
【０００６】
【課題を解決するための手段】
上記課題を解決するため請求項１の本発明ディスポーザの自動給水方法は、ディスポーザの運転スイッチの作動によるディスポーザの運転開始及び運転停止に連動して、ディスポーザへの給水の開始及び給水の停止が行われ、この給水の開始及び給水の停止はシングルレバー式水栓の操作レバーを給水開始方向及び給水停止方向へ操作レバー駆動手段を作動させることにより行われることを特徴とするものである。
【０００７】
又、請求項２の本発明ディスポーザの自動給水方法は、請求項１のディスポーザの自動給水方法において、操作レバー駆動手段への信号の伝達は、無線又は有線で行われることを特徴とするものである。
【０００８】
又、請求項３の本発明ディスポーザの自動給水方法は、請求項１又は２のディスポーザの自動給水方法において、操作レバーは手動で可動可能であることを特徴とするものである。
【０００９】
このような本発明方法によれば、ディスポーザの運転に連動して給水の開始及び給水の停止がシングルレバー式水栓の操作レバーが給水の開始方向及び給水の停止方向に操作レバー駆動手段を作動することにより行われるため、従来のような給水配管の途中に弁を設けたる必要がなく、弁の設置スペースが不要となる。又、弁による故障がないため、給水が不能となることはなく、したがってディスポーザー専用の給水配管及び水栓金具も不要となると共に、給水配管が簡素化されるので浄水器等との併用も容易に可能となる。又操作レバーの作動は無線又は有線の何れでも可能で便利である。
又、操作レバーは手動で可動可能であるため、食器等を洗う時にも使用可能である。
【００１０】
次に、請求項４の本発明ディスポーザの自動給水装置は、ディスポーザへの給水路にシングルレバー式水栓が設けられ、このシングルレバー式水栓にディスポーザの運転スイッチの作動によるディスポーザの運転開始及び運転停止に連動して、シングルレバー式水栓の操作レバーを給水開始方向及び給水停止方向へ作動する操作レバー駆動手段が設けられていることを特徴とするものである。
【００１１】
又、請求項５の本発明ディスポーザの自動給水装置は、請求項４のディスポーザの自動給水装置において、操作レバー駆動手段は、シングルレバー式水栓に取り付けられるカバーケースと、このカバーケースに設けたモーターと、このモーターにより回動すると共に、シングルレバー式水栓の操作レバーに係合し、操作レバーを給水の開始方向及び給水の停止方向へ作動する腕杆から構成されていることを特徴とするものである。
【００１２】
又、請求項６の本発明ディスポーザの自動給水装置は、請求項５のディスポーザの自動給水装置において、操作レバー駆動手段のモーターへの信号の伝達は、無線又は有線で行われることを特徴とするものである。
【００１３】
又、請求項７の本発明ディスポーザの自動給水装置は、請求項４、５又は６のディスポーザの自動給水装置において、操作レバーは手動で可動可能であることを特徴とするものである。
【００１４】
このような構成を有する本発明装置によれば、ディスポーザの運転に連動して、給水の開始及び給水の停止がシングルレバー式水栓に設けた操作レバー駆動手段により、操作レバーを給水開始方向及び給水停止方向へ作動させることにより行われるため、従来のような給水配管の途中に弁を設ける必要がなく、弁の設置スペースが不要となる。
又、弁による故障がないため給水が不能となることはなく、例え操作レバー駆動手段に故障が生じても、手動により操作レバーを作動させることができるので給水可能である。
したがって、ディスポーザ専用の給水配管及び水栓金具も不要となると共に、給水配管が簡素化されるので、浄水器等との併用も容易に可能である。
【００１５】
操作レバー駆動手段による操作レバーの作動は、モーターが給水の開始方向及び給水の停止方向へ回転することにより腕杆がその方向へ回動し、腕杆に係合する操作レバーが作動する。
この操作レバー駆動手段のモーターへの信号の伝達は、無線又は有線の何れでも可能で便利である。
又、操作レバーは手動で可動可能であるため、操作レバー駆動手段の故障時でも給水可能であると共に、通常時の食器洗い等にも使用可能である。
【００１６】
【発明の実施の形態】
以下、本発明の一実施の形態を図面に基づき説明する。
図１及び図２は本発明方法及び装置の一実施の形態を示す構成図であり、図１は無線による場合、図２は有線による場合を示している。
図３はシングルレバー式水栓に操作レバー駆動手段を取り付けた一部縦断側面図、図４は同上の一部横断平面図、図５は同上の一部を切り欠いた正面図である。
【００１７】
而して、図中１はキッチンシンク２の排水口に設置したディスポーザ本体であり、このディスポーザ本体１の下部に内部の破砕機構を稼動する稼動モーター３が設けられている。
この稼動モーター３の運転スイッチ４はキッチンの任意の箇所に設けることができるが、ディスポーザ本体１の厨芥投入口の蓋の着脱又は開閉操作により運転スイッチが開閉できるようにすることもできる。
【００１８】
５はディスポーザ本体１の給水路である給水配管６に設置したシングルレバー式水栓本体であり、このシングルレバー式水栓本体５にシングルレバー式水栓本体５の操作レバー７を作動する操作レバー駆動手段８が設けられている。
【００１９】
操作レバー駆動手段８は、シングルレバー式水栓本体５に取り付けられるカバーケース９と、このカバーケース９に固定されたモーター１０と、このモーター１０により回動すると共に、シングルレバー式水栓本体５の操作レバー７に係合し、操作レバー７を給水の開始方向及び給水の停止方法へ作動する腕杆１１から構成されている。
【００２０】
カバーケース９は弾力を有する合成樹脂製で、カバーケース９の側部にシングルレバー式水栓本体５の円筒形ハウジング１２に弾力で着脱可能に嵌合する一部切除された支持環部１３が形成されている。
又、カバーケース９に固定されたモーター１０は正逆回転可能に回路構成され、モーター１０の回転軸にスプライン軸１４が形成されている。
【００２１】
腕杆１１は基部にモーター１０のスプライン軸１４に適合する孔１５が設けられ、この孔１５にスプライン軸１４の先方が嵌入され、この伝達機構で腕杆１１はモーター１０により基部を支点に先方が上下可能に回動可能となっている。
そして、腕杆１１は操作レバー７と平行し、先方は操作レバー７側に９０°屈曲し、その先端部に操作レバー７の上下を挾持するように操作レバー７の側部の一部に嵌合する凹溝１６が設けられている。
【００２２】
したがって、この凹溝１６が操作レバー７に嵌合することにより、モーター１０が給水の開始方向へ回転すると腕杆１１が上方回動し、それに伴い操作レバー７が給水の開始方向へ上方回動し、給水を開始する。
又、モーター１０が逆方向へ回転すると腕杆１１が逆方向へ下方回動し、それに伴い操作レバー７が給水の停止方向へ下方回動し、給水を停止する。
【００２３】
このモーター１０は、ディスポーザの運転スイッチ４が入ってディスポーザ本体１の稼動モーター３が始動すると、これと連動してモーター１０がシングルレバー式水栓本体５の操作レバー７が給水開始方向へ作動する方向に回転を始め、運転スイッチ４が切れ、稼動モーター３が停止すると、これと連動してモーター１０が逆回転し、シングルレバー式水栓本体５の操作レバー７を給水停止方向へ作動し、給水を停止するように制御部１７で設定されている。
【００２４】
稼動モーター３は、運転スイッチ４が作動開始をしてから所要時間経過後に自動的に作動停止するよう制御部１７でタイマー等により制御されている。
勿論、このように作動停止を制御されたディスポーザに限らず、運転スイッチ４の作動停止を手動で、その都度行う方式のディスポーザにも適用される。
【００２５】
又、運転スイッチ４の操作によるモーター１０への信号の伝達は、無線（図１に示す）又は有線（図２に示す）の何れでもよいが、無線の場合は操作レバー駆動手段８がカバーケース９内にモーター１０の電源１８を収容すると共に、受信装置１９を収容し、制御部１７に発信装置２０を設ける。
これにより、運転スイッチ４が入って稼動モーター３が始動すると、制御部１７で発信装置２０を作動するように設定する。
又、この場合、制御部１７と稼動モーター３の連絡も無線とし、稼動モーター３側にも受信装置を設けることもできる。
尚、操作レバー駆動手段８は必ずしも上記のような構成に限定されるものではない。
【００２６】
尚、操作レバー７は手動で上下方向に回動操作すれば、腕杆１１を介してモーター軸が回転するから、ディスポーザの使用とは別に食器洗い時等に使用可能である。
【００２７】
【発明の効果】
本発明によれば、ディスポーザへの給水が、従来のように給水配管の途中に設けた弁によらず、シングルレバー式水栓の操作レバーの作動により行われ、操作レバー駆動手段は多種類のシングルレバー式水栓に設けることが可能で、ディスポーザ専用の水栓金具を必要とせず、給水配管が複雑とならないため、給水配管の簡素化や浄水器との併用も容易に可能となる。
又、操作レバーは常時手動で操作することが可能であるため、停電時や装置の故障時にも給水が可能である。
【図面の簡単な説明】
【図１】本発明の一実施の形態を示す構成図である。
【図２】本発明の一実施の形態を示す構成図である。
【図３】シングルレバー式水栓に操作レバー駆動手段を取り付けた一部縦断側面図である。
【図４】シングルレバー式水栓に操作レバー駆動手段を取り付けた一部横断平面図である。
【図５】シングルレバー式水栓に操作レバー駆動手段を取り付けた一部切り欠いた正面図である。
【符号の説明】
１　ディスポーザ本体
２　キッチンシンク
３　稼動モーター
４　運転スイッチ
５　シングルレバー式水栓本体
６　給水配管
７　操作レバー
８　操作レバー駆動手段
９　カバーケース
１０　モーター
１１　腕杆
１２　円筒形ハウジング
１３　支持環部
１４　スプライン軸
１５　孔
１６　凹溝
１７　制御部
１８　電源
１９　受信装置
２０　発信装置
【図１】
2004008991.tif 000003
【図２】
2004008991.tif 000004
【図３】
2004008991.tif 000005
【図４】
2004008991.tif 000006
【図５】
2004008991.tif 000007